(57)【要約】【課題】太陽電池の表面にミネラル分が堆積することを抑制することができる太陽電池冷却システムを提供する。【解決手段】散水により太陽電池１００を冷却する太陽電池冷却システム１０であって、太陽電池１００に散水するための水が貯められる貯水部１０１と、補水口１０２ａを有し、補水口１０２ａから貯水部１０１内に水を補水する補水部１０２と、貯水部１０１内に設けられた、陽極１０３ｐおよび陰極１０３ｎと、陽極１０３ｐおよび陰極１０３ｎに電圧を印加することによって貯水部１０１内の水を電気分解する第一制御を行う制御部１０４と、貯水部１０１内の水を汲み上げるポンプ１０５と、ポンプ１０５によって汲み上げられた水を太陽電池１００に散水する散水部１０６とを備え、陰極１０３ｎは、陽極１０３ｐよりも補水口１０２ａに近い位置に設けられる。【選択図】図２
2015032633.tif 000002
【特許請求の範囲】
【請求項１】
散水により太陽電池を冷却する太陽電池冷却システムであって、
前記太陽電池に散水するための水が貯められる貯水部と、
補水口を有し、前記補水口から前記貯水部内に水を補水する補水部と、
前記貯水部内に設けられた、少なくとも１組の電極と、
前記少なくとも１組の電極に電圧を印加することによって前記貯水部内の水を電気分解する第一制御を行う制御部と、
前記貯水部内の水を汲み上げるポンプと、
前記ポンプによって汲み上げられた水を前記太陽電池に散水する散水部とを備え、
前記少なくとも１組の電極の陰極は、前記少なくとも１組の電極の陽極よりも前記補水口に近い位置に設けられる
太陽電池冷却システム。
【請求項２】
前記ポンプは、前記貯水部内に設けられる
請求項１に記載の太陽電池冷却システム。
【請求項３】
前記陰極は、前記陽極よりも前記ポンプから遠い位置に設けられる
請求項２に記載の太陽電池冷却システム。
【請求項４】
前記陽極および前記陰極のそれぞれは、前記ポンプを囲む筒状である
請求項２または請求項３に記載の太陽電池冷却システム。
【請求項５】
前記陽極および前記陰極のそれぞれは、水を通過させる構造である
請求項４に記載の太陽電池冷却システム。
【請求項６】
前記陽極および前記陰極は、前記ポンプよりも前記貯水部の底面に近い位置に設けられる
請求項２〜５のいずれか１項に記載の太陽電池冷却システム。
【請求項７】
前記補水口は、前記貯水部内であって、前記ポンプよりも前記貯水部の底面の近くに位置する
請求項２〜６のいずれか１項に記載の太陽電池冷却システム。
【請求項８】
前記補水口は、前記貯水部内であって、前記ポンプよりも前記貯水部の底面から遠くに位置する
請求項２〜７のいずれか１項に記載の太陽電池冷却システム。
【請求項９】
前記制御部は、前記第一制御を所定の期間行った後、前記陽極および前記陰極に極性を反転した電圧を印加する第二制御を行う
請求項１〜８のいずれか１項に記載の太陽電池冷却システム。
【請求項１０】
さらに、
排水口を有し、前記排水口から前記貯水部内の水を排水する排水部と、
前記制御部の制御に基づいて前記排水部による排水を行うか否かの切り替えを行う第一の切替部とを備え、
前記制御部は、さらに、前記第二制御を行った後、前記第一の切替部を制御して前記排水部に前記貯水部内の水を排水させる
請求項９に記載の太陽電池冷却システム。
【請求項１１】
前記陰極は、前記陽極よりも前記排水口に近い位置に設けられる
請求項１０に記載の太陽電池冷却システム。
【請求項１２】
前記制御部は、前記補水部が所定量の水を前記貯水部に補水した後に、前記第一制御を行う
請求項１〜１１のいずれか１項に記載の太陽電池冷却システム。
【請求項１３】
さらに、
前記貯水部を２つの領域に仕切る隔壁を備え、
前記補水部は、前記２つの領域のうちの一方の領域に水を補水し、
前記陰極は、前記２つの領域のうちの前記補水部が水を補水する領域に設けられる
請求項１〜１２のいずれか１項に記載の太陽電池冷却システム。
【請求項１４】
前記制御部は、前記第一の切替部を制御することによって、所定の期間に少なくとも１回は前記排水部に前記貯水部内の水を全て排水させる
請求項９または１０に記載の太陽電池冷却システム。
【請求項１５】
さらに、前記制御部の制御に基づいて補水部による補水を行うか否かの切り替えを行う第二の切替部を備え、
前記制御部は、前記排水部に前記貯水部内の水を全て排水させた直後の所定の期間内は、前記第二の切替部を制御して前記補水部の補水を停止させる
請求項１４に記載の太陽電池冷却システム。
【請求項１６】
散水により太陽電池を冷却する太陽電池冷却システムの制御方法であって、
前記太陽電池冷却システムは、
前記太陽電池に散水するための水が貯められる貯水部と、
補水口を有し、前記補水口から前記貯水部内に水を補水する補水部と、
前記貯水部内に設けられた、少なくとも１組の電極と、
前記貯水部内の水を汲み上げるポンプと、
前記ポンプによって汲み上げられた水を前記太陽電池に散水する散水部とを備え、
前記少なくとも１組の電極の陰極は、前記少なくとも１組の電極の陽極よりも前記補水口に近い位置に設けられ、
前記制御方法は、前記陽極および前記陰極に電圧を印加することによって前記貯水部内の水を電気分解する第一ステップを含む
太陽電池冷却システムの制御方法。
【請求項１７】
前記制御方法は、さらに、前記第一ステップの後、前記陽極および前記陰極に極性を反転した電圧を印加する第二ステップを含む
請求項１５に記載の太陽電池冷却システムの制御方法。
【請求項１８】
前記太陽電池冷却システムは、
排水口を有し、前記排水口から前記貯水部内の水を排水する排水部と、
前記排水部による排水を行うか否かの切り替えを行う第一の切替部とを備え、
前記制御方法は、さらに、前記第二ステップの後、前記第一の切替部を制御して前記排水部に前記貯水部内の水を排水させる排水ステップを含む
請求項１６に記載の太陽電池冷却システムの制御方法。
【発明の詳細な説明】
【技術分野】
【０００１】
本発明は、ソーラーパネル等の太陽電池を冷却する太陽電池冷却システムに関する。
【背景技術】
【０００２】
近年、自然エネルギーを利用した安全な発電方法として、太陽電池を用いて発電を行う太陽光発電が注目されている。
【０００３】
太陽光発電においては、原則的には、日射量が多いほど発電量が増加する。しかしながら、太陽電池は、温度上昇により発電効率が低下する。このため、散水により太陽電池を冷却することで発電効率の低下を抑制する方法が知られている（例えば、特許文献１〜３参照）。
【先行技術文献】
【特許文献】
【０００４】
【特許文献１】特開２０１１−２３８７５２号公報
【特許文献２】特開２０１２−５４３４０号公報
【特許文献３】特開２００４−７９９００号公報
【発明の概要】
【発明が解決しようとする課題】
【０００５】
上記のように散水により太陽電池を冷却する場合、散水が繰り返されることにより水中に含まれるカルシウムなどのミネラル分が太陽電池の表面に膜状に堆積し、発電効率が低下する。
【０００６】
本発明は、太陽電池の表面にミネラル分が堆積することを抑制することができる太陽電池冷却システムを提供する。
【課題を解決するための手段】
【０００７】
本発明の一態様に係る太陽電池冷却システムは、散水により太陽電池を冷却する太陽電池冷却システムであって、前記太陽電池に散水するための水が貯められる貯水部と、補水口を有し、前記補水口から前記貯水部内に水を補水する補水部と、前記貯水部内に設けられた、少なくとも１組の電極と、前記少なくとも１組の電極に電圧を印加することによって前記貯水部内の水を電気分解する第一制御を行う制御部と、前記貯水部内の水を汲み上げるポンプと、前記ポンプによって汲み上げられた水を前記太陽電池に散水する散水部とを備え、前記少なくとも１組の電極の陰極は、前記少なくとも１組の電極の陽極よりも前記補水口に近い位置に設けられる。
【発明の効果】
【０００８】
本発明に係る太陽電池冷却システムは、太陽電池の表面にミネラル分が堆積することを抑制することができる。
【図面の簡単な説明】
【０００９】
【図１】図１は、実施の形態１に係る太陽電池冷却システムの概略構成を示す図である。
【図２】図２は、実施の形態１に係る太陽電池冷却システムの詳細構成を示す図である。
【図３】図３は、陽極および陰極の別の例を説明するための図である。
【図４】図４は、実施の形態１に係る太陽電池冷却システムの動作のフローチャートである。
【図５】図５は、実施の形態１に係る太陽電池冷却システムの制御における時間区分を示す図である。
【図６】図６は、補水部の配置および１組の電極の配置の別の例を示す図である。
【図７】図７は、実施の形態２に係る太陽電池冷却システムの構成を示す図である。
【図８】図８は、実施の形態２に係る太陽電池冷却システムの動作のフローチャートである。
【発明を実施するための形態】
【００１０】
（本発明の基礎となった知見）
背景技術で説明したように、太陽光発電が注目されている。
【００１１】
例えば、出力１ＭＷ以上の大規模な太陽光発電システムは、いわゆるメガソーラと呼ばれ、自然エネルギーを利用した安全な発電システムとして期待されている。
【００１２】
また、太陽光発電システムにおいて、太陽電池の発熱による発電効率の低下を抑制するために、太陽電池に散水を行う技術が知られている（例えば、特許文献１〜３参照）。
【００１３】
散水により太陽電池を冷却する場合、散水が繰り返されることにより水中に含まれるカルシウムなどのミネラル分が太陽電池の表面に堆積し、発電効率の低下を招くことが課題である。
【００１４】
太陽電池の表面に堆積したミネラル分は、クリーニングにより除去可能であるが、メガソーラのような大規模な太陽光発電システムにおいては、太陽光発電システムに用いられる太陽電池（ソーラーパネル）の数は膨大である。このため、大規模な太陽光発電システムにおいて散水による太陽電池の冷却を行った場合、メンテナンスが容易でないという課題がある。
【００１５】
そこで、本発明の一態様に係る太陽電池冷却システムは、散水により太陽電池を冷却する太陽電池冷却システムであって、前記太陽電池に散水するための水が貯められる貯水部と、補水口を有し、前記補水口から前記貯水部内に水を補水する補水部と、前記貯水部内に設けられた、少なくとも１組の電極と、前記少なくとも１組の電極に電圧を印加することによって前記貯水部内の水を電気分解する第一制御を行う制御部と、前記貯水部内の水を汲み上げるポンプと、前記ポンプによって汲み上げられた水を前記太陽電池に散水する散水部とを備え、前記少なくとも１組の電極の陰極は、前記少なくとも１組の電極の陽極よりも前記補水口に近い位置に設けられる。
【００１６】
このように、貯水部内の水を電気分解することにより、太陽電池冷却システムは、ソーラーパネルの表面にミネラル分が堆積することを抑制しつつ、ソーラーパネルを冷却することができる。
【００１７】
また、陰極が、陽極よりも補水口に近い位置に設けられることにより、補水部から補水されるミネラル分を多く含む水が電気分解された後でポンプに汲み上げられる可能性が高くなる。
【００１８】
また、例えば、前記ポンプは、前記貯水部内に設けられてもよい。
【００１９】
また、例えば、前記陰極は、前記陽極よりも前記ポンプから遠い位置に設けられてもよい。
【００２０】
これにより、陰極に析出したミネラル分が再び貯水部内の水に溶出し、当該溶出したミネラル分を含んだ水をポンプが汲み上げる可能性を低減できる。
【００２１】
また、例えば、前記陽極および前記陰極のそれぞれは、前記ポンプを囲む筒状であってもよい。
【００２２】
このように、陰極がポンプを囲うように設けられることで、貯水部内の水がポンプによって汲み上げられるときに、陰極付近を通過する可能性が高まる。すなわち、貯水部内の水は、散水部によって散水される前にミネラル分が除去される可能性が高くなる。
【００２３】
また、例えば、前記陽極および前記陰極のそれぞれは、水を通過させる構造であってもよい。
【００２４】
これにより、貯水部内の水がポンプによって汲み上げられるときに、陰極を通過する可能性が高まる。すなわち、貯水部内の水は、散水部によって散水される前にミネラル分が除去される可能性が高くなる。
【００２５】
また、例えば、前記陽極および前記陰極は、前記ポンプよりも前記貯水部の底面に近い位置に設けられてもよい。
【００２６】
補水部が貯水部に補水するミネラル分を多く含む水は、既に貯水部内に貯められた水よりも温度が低く、貯水部の底面付近に留まりやすい。つまり、陰極が、ポンプよりも貯水部の底面に近い位置に設けられることによって、電気分解により効率的にミネラル分を析出することができる。
【００２７】
また、例えば、前記補水口は、前記貯水部内であって、前記ポンプよりも前記貯水部の底面の近くに位置してもよい。
【００２８】
これにより、補水部が貯水部に補水する水が電気分解されずにポンプによって汲み上げられる可能性を低減することができる。
【００２９】
また、例えば、前記補水口は、前記貯水部内であって、前記ポンプよりも前記貯水部の底面から遠くに位置してもよい。
【００３０】
これにより、補水部が貯水部に流入させる水の勢い（力）によって、貯水部内の水に対流を生じさせ、貯水部内の水をむらなく均一に電気分解することができる。
【００３１】
また、例えば、前記制御部は、前記第一制御を所定の期間行った後、前記陽極および前記陰極に極性を反転した電圧を印加する第二制御を行ってもよい。
【００３２】
これにより、陰極に析出したミネラル分を貯水部内の水に溶出させることができるため、陰極のクリーニングを行うことができる、すなわち、電極の交換やクリーニングなど、太陽電池冷却システムのメンテナンスの頻度が低減される。
【００３３】
また、例えば、さらに、排水口を有し、前記排水口から前記貯水部内の水を排水する排水部と、前記制御部の制御に基づいて前記排水部による排水を行うか否かの切り替えを行う第一の切替部とを備え、前記制御部は、さらに、前記第二制御を行った後、前記第一の切替部を制御して前記排水部に前記貯水部内の水を排水させてもよい。
【００３４】
これにより、陰極がクリーニングされるとともに、ミネラル分を含む水が排水される。
【００３５】
また、例えば、前記陰極は、前記陽極よりも前記排水口に近い位置に設けられてもよい。
【００３６】
これにより、排水時には、陰極から溶出したミネラル分を多く含んだ水が優先的に排水される。
【００３７】
また、例えば、前記制御部は、前記補水部が所定量の水を前記貯水部に補水した後に、前記第一制御を行ってもよい。
【００３８】
これにより、補水部が補水する水にはミネラル分が多く含まれるため、所定量の補水後に電気分解することにより、効率的にミネラル分を析出できる。
【００３９】
また、例えば、さらに、前記貯水部を２つの領域に仕切る隔壁を備え、前記補水部は、前記２つの領域のうちの一方の領域に水を補水し、前記陰極は、前記２つの領域のうちの前記補水部が水を補水する領域に設けられてもよい。
【００４０】
このように、隔壁が設けられることにより、水の流動を抑制することができ、補水部からの水による水流によって陰極に析出したミネラル分が陰極から遊離しにくくなる。
【００４１】
また、例えば、前記制御部は、前記第一の切替部を制御することによって、所定の期間に少なくとも１回は前記排水部に前記貯水部内の水を全て排水させてもよい。
【００４２】
これにより、貯水部内に藻や微生物が発生することを抑制することができる。
【００４３】
また、例えば、さらに、前記制御部の制御に基づいて補水部による補水を行うか否かの切り替えを行う第二の切替部を備え、前記制御部は、前記排水部に前記貯水部内の水を全て排水させた直後の所定の期間内は、前記第二の切替部を制御して前記補水部の補水を停止させてもよい。
【００４４】
これにより、貯水部内を乾燥させることができ、貯水部内に藻や微生物が発生することをさらに抑制することができる。
【００４５】
また、本発明は、制御部が実行する太陽電池冷却システムの制御方法として実現されてもよいし、上記制御方法をコンピュータに実行させるためのプログラムとして実現されてもよい。
【００４６】
以下、実施の形態について、図面を用いて詳細に説明する。なお、各図は模式図であり、必ずしも厳密に図示されたものではない。また、各図において、実質的に同一の構成に対しては同一の符号を付し、重複する説明は省略または簡略化する場合がある。
【００４７】
なお、以下で説明する実施の形態は、いずれも本発明の好ましい一具体例を示すものである。以下の実施の形態で示される数値、形状、構成要素、構成要素の配置位置および接続形態、処理のステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４８】
（実施の形態１）
図１は、実施の形態１に係る太陽電池冷却システムの概略構成を示す図である。
【００４９】
実施の形態１に係る太陽電池冷却システム１０は、散水によりソーラーパネル１００（太陽電池）を冷却する。以下、太陽電池冷却システム１０の概要について説明する。
【００５０】
太陽電池冷却システム１０では、貯水部１０１に貯められた水が貯水部１０１内のポンプ１０５によって、汲み上げられる。汲み上げられた水は、散水部１０６によってソーラーパネル１００に散水される。
【００５１】
このとき、ソーラーパネル１００に散水された水のうちの一部はソーラーパネル１００の熱によって気化するため、ソーラーパネル１００は、冷却される。
【００５２】
また、ソーラーパネル１００は、傾斜して設けられているため、ソーラーパネル１００に散水された水の大部分は、ソーラーパネル１００上を流れて注水部１１１に流入する。注水部１１１に流入した水は、再び貯水部１０１に注水される。すなわち、注水部１１１に流入した水は再利用される。
【００５３】
ここで、太陽電池冷却システム１０では、貯水部１０１内に陽極１０３ｐおよび陰極１０３ｎが設けられ、貯水部１０１内の水は、陽極１０３ｐおよび陰極１０３ｎによって電気分解された後でソーラーパネル１００に散布される。
【００５４】
電気分解によって、カルシウムなどのミネラル分は、陰極１０３ｎに析出し、貯水部１０１内の水は、カルシウムなどのミネラル分が低減された状態で散水される。このため、散水前に貯水部１０１内の水の電磁分解を行うことで、ソーラーパネル１００の表面にミネラル分が堆積することを抑制することができる。
【００５５】
次に、実施の形態１に係る太陽電池冷却システム１０の詳細な構成について説明する。
【００５６】
図２は、太陽電池冷却システム１０の詳細構成を示す図である。なお、図２において、貯水部１０１、補水部１０２、排水部１０７、および注水部１１１のそれぞれは、断面図として示されている。
【００５７】
太陽電池冷却システム１０は、貯水部１０１と、補水部１０２と、陽極１０３ｐ（第１の電極）と、陰極１０３ｎ（第２の電極）と、制御部１０４と、ポンプ１０５と、散水部１０６とを備える。また、太陽電池冷却システム１０は、排水部１０７と、バルブ１０８（第一の切替部）と、バルブ１０９（第二の切替部）と、隔壁１１０ａおよび１１０ｂと、注水部１１１と、水温計１１２と、水位計１１４と備える。
【００５８】
太陽電池冷却システム１０が冷却するソーラーパネル１００（ＰＶ：ＰｈｏｔｏＶｏｌｔａｉｃパネル）は、太陽光を電力に変換する汎用の太陽電池モジュールである。ソーラーパネル１００は、太陽光エネルギーを電気エネルギーに変換する機能を有する最小単位であるＰＶセルを複数備える構成である。
【００５９】
貯水部１０１は、いわゆる貯水タンクであり、貯水部１０１には、ソーラーパネル１００に散水するための水が貯められる。具体的には、貯水部１０１には、補水部１０２から補水される水と、注水部１１１から注水される水とが貯められる。貯水部１０１は、樹脂で形成されてもよいし、金属で形成されてもよい。貯水部１０１の形状は、直方体形状や、円筒形状などどのような形状であってもよく、特定の形状に限定されるものではない。
【００６０】
なお、貯水部１０１の底面は、傾斜しており、貯水部１０１の底面は、排水口１０７ａに近づくほど低くなる（鉛直方向の下側に位置する）。これにより、貯水部１０１内の水の排水口１０７ａからの排水時に、貯水部１０１内に水が残存しにくく、貯水部１０１内に藻や微生物が発生しにくい。つまり、貯水部１０１内のメンテナンスが容易となる。
【００６１】
また、貯水部１０１は、貯水部１０１内の水温の上昇を抑制するために直射日光が避けられる場所（例えば、ソーラーパネルの直下）に設けられることが望ましい。
【００６２】
補水部１０２は、補水口１０２ａを有し、補水口１０２ａから貯水部１０１内に水道水を補水（給水）する。補水部１０２は、管状であり、貯水部１０１側の一端が補水口１０２ａである。補水部１０２は、補水口１０２ａが貯水部１０１に設けられた接続口に接続されてもよいし、図２に示されるように補水口１０２ａが貯水部１０１の内側に位置するように補水部１０２が貯水部１０１の上方（鉛直上方）に設けられた接続口に挿入されてもよい。補水部１０２は、樹脂で形成されてもよいし、金属で形成されてもよい。
【００６３】
なお、補水口１０２ａは、補水部１０２のうち水が出水される端を意味する。補水部１０２が配水管と、ゴムホースとからなり、ゴムホースの端部から出水されるような場合は、補水口１０２ａは、当該ゴムホースの端部である。
【００６４】
また、補水部１０２には、制御部１０４の制御に基づいて開閉する電磁弁であるバルブ１０９が設けられる。補水部１０２は、バルブ１０９が開いているときは、貯水部１０１への補水を行い、バルブ１０９が閉じているときは貯水部１０１への補水を行わない。すなわち、バルブ１０９は、制御部１０４の制御に基づいて補水部１０２による補水を行うか否かの切り替えを行う第二の切替部として動作する。
【００６５】
なお、実施の形態１では、補水部１０２は、水道水を貯水部１０１に補水するが、補水部１０２は、地下水や、河川の水などを貯水部１０１に補水してもよい。
【００６６】
制御部１０４は、陽極１０３ｐおよび陰極１０３ｎに電圧を印加することによって貯水部１０１内の水を電気分解する第一制御を行う。制御部１０４は、具体的には、陽極１０３ｐに陰極１０３ｎよりも高い直流電圧を印加することによって貯水部内の水を電気分解する。また、制御部１０４は、陰極１０３ｎに析出したミネラル分を除去する目的で、陽極１０３ｐおよび陰極１０３ｎに極性を反転した電圧を印加する第二制御を行う。制御部１０４は、具体的には、陽極１０３ｐに陰極１０３ｎよりも低い直流電圧を印加することによって第二制御を行う。
【００６７】
制御部１０４は、ポンプ１０５のオンオフ制御（散水制御）、バルブ１０８の開閉制御（排水制御）、およびバルブ１０９の開閉制御（補水制御）を行う。制御部１０４は、水位計１１４から水量データを取得することによって貯水部１０１内の水量を測定する。また、制御部１０４は、パネル温度計１１６からソーラーパネル１００の温度を取得することによってソーラーパネル１００の温度を測定し、水温計１１２から温度データを取得することによって貯水部１０１内の水温を測定する。
【００６８】
制御部１０４は、具体的には、汎用のマイコン等であるが、専用のハードウェアで構成されてもよいし、ソフトウェアプログラムを実行することによって実現されてもよい。
【００６９】
ポンプ１０５は、貯水部１０１内の水を汲み上げる。ポンプ１０５は、貯水部１０１内の、補水口１０２ａよりも貯水部１０１の底面に近い位置に設けられる。言い換えれば、補水口１０２ａは、ポンプ１０５の上方（鉛直方向の上側）に位置する。
【００７０】
これにより、補水部１０２が貯水部１０１に流入させる水の勢い（力）によって、貯水部１０１内の水に対流を生じさせ、貯水部１０１内の水をむらなく電気分解することができる。
【００７１】
なお、実施の形態１では、上述のように、ポンプ１０５は、貯水部１０１内の中央部分に設けられるが、貯水部１０１の外部に設けられ、貯水部１０１内の水をホース等を用いて汲み上げてもよい。
【００７２】
散水部１０６は、ポンプ１０５によって汲み上げられた水をソーラーパネル１００に散水する。散水部１０６は、散水部１０６が有する複数のノズルそれぞれから、ソーラーパネル１００に水を散布する。
【００７３】
排水部１０７は、排水口１０７ａを有し、排水口１０７ａから貯水部１０１内の水を排水する。排水部１０７は、管状であり、貯水部１０１側の一端が排水口１０７ａである。排水部１０７は、図２に示されるように排水口１０７ａが貯水部１０１の底面に設けられた接続口に接続されてもよいし、排水口１０７ａが貯水部１０１の内側に位置するように貯水部１０１の底面に設けられた接続口に排水部１０７が挿入されてもよい。排水部１０７は、樹脂で形成されてもよいし、金属で形成されてもよい。
【００７４】
また、排水部１０７には、制御部１０４の制御に基づいて開閉する電磁弁であるバルブ１０８が設けられる。排水部１０７は、バルブ１０８が開いているときは、貯水部１０１内の水の排水を行い、バルブ１０８が閉じているときは貯水部１０１内の水の排水を行わない。すなわち、バルブ１０８は、制御部１０４の制御に基づいて排水部１０７による補水を行うか否かの切り替えを行う第一の切替部として動作する。
【００７５】
注水部１１１は、いわゆる雨樋であり、散水部１０６によってソーラーパネル１００に散水された水であって、ソーラーパネル１００上を流れた水を貯水部１０１内に注水する。
【００７６】
注水部１１１は、傾斜して設けられたソーラーパネル１００の下端部分に、ソーラーパネルの辺に沿って設けられる。注水部１１１は、樹脂で形成されてもよいし、金属で形成されてもよい。なお、注水部１１１が貯水部１０１に注水する水は、発熱したソーラーパネル１００上を流れた水であるため温度が高い。
【００７７】
隔壁１１０ａは、補水部１０２からの水道水が勢いよく貯水部１０１に流入することを防止するために設けられる壁である。すなわち、隔壁１１０ａは、貯水部１０１を２つの領域に仕切り、２つの領域の間の水の流動を抑制する。ここで、補水部１０２は、隔壁１１０ａによって仕切られる２つの領域のうちの一方の領域に水を補水し、陰極１０３ｎは、２つの領域のうちの他方の領域に設けられる。
【００７８】
このように、隔壁１１０ａが設けられることにより、水の流動を抑制することができ、補水部１０２からの水道水による水流によって陰極１０３ｎに析出したミネラル分が陰極１０３ｎから遊離しにくくなる。
【００７９】
隔壁１１０ｂは、注水部１１１からの水が既に貯水部１０１内に貯められた水とすぐに混ざることを防ぐ壁である。すなわち、隔壁１１０ｂは、貯水部１０１を２つの領域に仕切り、２つの領域の間の水の流動を抑制する。ここで、補水部１０２は、隔壁１１０ｂによって仕切られる２つの領域のうちの一方の領域に水を補水し、注水部１１１は、２つの領域のうちの他方の領域に、ソーラーパネル１００上を流れた水を注水する。
【００８０】
また、実施の形態１では、貯水部１０１内の隔壁１１０ｂによって隔てられた領域であって、注水部１１１からの水が最初に注水される領域の下に排水口１０７ａが設けられている。
【００８１】
このため、散水部１０６が散水を開始した直後に、制御部１０４がバルブ１０８を所定の期間開放すれば、注水部１１１から貯水部１０１に注水される温度の高い水は、貯水部１０１内の温度の低い水と混ざる前に排水される。よって、貯水部１０１内の水の温度上昇を抑えて効率的にソーラーパネル１００の冷却を行うことができる。
【００８２】
なお、貯水部１０１の底面にはいわゆる「すのこ」が置かれ、ポンプ１０５並びに陽極１０３ｐおよび陰極１０３ｎは、「すのこ」の上に配置されている。したがって、貯水部１０１内の隔壁１１０ａによって隔てられた領域であって、補水部１０２からの水が補水される領域内の水は、時間が経てば「すのこ」を通って貯水部１０１内の他の領域の水と混ざり合う。また、貯水部１０１内の隔壁１１０ｂによって隔てられた領域であって、注水部１１１からの水が最初に注水される領域内の水は、時間が経てば「すのこ」を通って貯水部１０１内の他の領域の水と混ざり合う。なお、貯水部１０１の底面に必ずしも「すのこ」が必要ではなく、隔壁１１０ａと貯水部１０１の底面に隙間を生じる構造であれば、他の構成でも構わない。
【００８３】
陽極１０３ｐおよび陰極１０３ｎは、１組の電極であり、貯水部１０１内の水を電気分解するために、貯水部１０１内に設けられる。
【００８４】
太陽電池冷却システム１０において、陽極１０３ｐと陰極１０３ｎの構造および配置は、特徴的な構造の１つであり、以下図２を用いて詳細に説明する。
【００８５】
具体的には、太陽電池冷却システム１０においては、陰極１０３ｎは、陽極１０３ｐよりも補水口１０２ａの近い位置に設けられる。より詳細には、陰極１０３ｎのうち補水口１０２ａに最も近い部分から補水口１０２ａまでの距離は、陽極１０３ｐのうち補水口１０２ａに最も近い部分から補水口１０２ａまでの距離よりも小さい。
【００８６】
これにより、ミネラル分を多く含む水道水は、補水部１０２から補水されるため、補水された水が電気分解された後でポンプ１０５に汲み上げられる可能性が高くなる。
【００８７】
特に、水道水の補水および電気分解を行うとともに散水部１０６による散水を行うような場合は、上記の理由で水道水のミネラル分の低減を効率的に行うことができる。
【００８８】
また、実施の形態１では、陽極１０３ｐおよび陰極１０３ｎは、いずれも円筒状であり、なおかつ、貯水部１０１内の水が電極を通過できるようにメッシュ状に形成されている。言い換えれば、陽極１０３ｐおよび陰極１０３ｎのそれぞれは、水を通過させる構造である。なお、陽極１０３ｐおよび陰極１０３ｎのそれぞれが、水を通過させることができる材質によって形成されれば、陽極１０３ｐおよび陰極１０３ｎに水を通過させる機能を持たせることができる。陽極１０３ｐおよび陰極１０３ｎは、金属材料で形成されるが、炭素電極であってもよい。
【００８９】
陽極１０３ｐは、ポンプ１０５を囲うように設けられる。また、陰極１０３ｎは、陽極１０３ｐをさらに外側から囲うように設けられる。すなわち、陽極１０３ｐは、陰極１０３ｎよりもポンプ１０５に近い位置に設けられる。
【００９０】
このように、水を通過させる機能を有する陰極１０３ｎがポンプ１０５を囲うように設けられることで、貯水部１０１内の水がポンプ１０５によって汲み上げられるときに、陰極１０３ｎを通過する可能性が高まる。すなわち、貯水部１０１内の水は、散水部１０６によって散水される前にミネラル分が除去される可能性が高くなる。
【００９１】
さらに、陰極１０３ｎは、陽極１０３ｐよりもポンプ１０５から遠い位置に設けられる。これにより、陰極１０３ｎに析出したミネラル分が再び貯水部１０１内の水に溶出し、当該溶出したミネラル分を含んだ水をポンプ１０５が汲み上げる可能性を低減できる。
【００９２】
そして、陰極１０３ｎは、陽極１０３ｐよりも排水口１０７ａに近い位置に設けられる。これにより、排水時には、陰極から溶出したミネラル分を多く含んだ水が優先的に排水される。
【００９３】
なお、陽極１０３ｐおよび陰極１０３ｎは、上記のような形状および構造に限定されるものでない。
【００９４】
図３は、陽極１０３ｐおよび陰極１０３ｎの別の例を説明するための図である。
【００９５】
電気分解用の１組の電極は、図３の（ａ）に示されるようなポンプ１０５を囲む円筒状の陽極１０３ｐおよび陰極１０３ｎであってもよいし、角筒状など他の筒状であってもよい。また、図３の（ａ）では、１組の電極は、メッシュ状であるが、メッシュ状でなくてもよい。
【００９６】
また、１組の電極は、筒状でなくてもよい。例えば、１組の電極は、図３の（ｂ）に示されるように棒状の陽極１１３ｐおよび陰極１１３ｎであってもよいし、図３の（ｃ）に示されるように平板状（板状）の陽極１１３ｐおよび陰極１１３ｎであってもよい。
【００９７】
次に、太陽電池冷却システム１０の動作の一例について説明する。図４は、太陽電池冷却システム１０の動作のフローチャートである。図５は、太陽電池冷却システム１０の制御における時間区分を示す図である。
【００９８】
図５に示されるように、太陽電池冷却システム１０の制御は、待機期間と、散水制御期間と、散水準備期間とに区分される。図５の例では、ＡＭ５：００〜ＡＭ７：００は、待機期間であり、ＡＭ７：００〜ＡＭ１７：００は、散水制御期間であり、ＡＭ１７：００以降は、散水準備期間である。
【００９９】
まず、散水制御期間に行われる散水制御について説明する。散水制御期間は、日中ソーラーパネルの冷却を行う期間を意味し、図４のフローチャートのステップＳ１０１〜ステップＳ１１０の処理が行われる期間である。
【０１００】
まず、制御部１０４は、散水制御期間内であるか否かを判断する（Ｓ１０１）。散水制御期間である場合（Ｓ１０１でＹｅｓ）、制御部１０４は、太陽電池冷却システム１０の状態が散水条件に合致するか否かを判断する（Ｓ１０２）。
【０１０１】
ここで、散水条件とは、貯水部１０１内の水量および水温、ソーラーパネル１００の温度に基づいて定められる散水制御を開始するための条件である。例えば、制御部１０４は、貯水部１０１内の水量が所定の水量以上であって、貯水部１０１内の水温がソーラーパネルの温度よりも所定の閾値以上低い場合に、太陽電池冷却システム１０の状態が散水条件に合致すると判断する。
【０１０２】
制御部１０４は、太陽電池冷却システム１０の状態が散水条件に合致すると判断した場合（Ｓ１０２でＹｅｓ）、散水処理を行う（Ｓ１０３）。具体的には、制御部１０４は、ポンプ１０５をオンして貯水部１０１内の水を汲み上げて散水部１０６からソーラーパネル１００に散水する。
【０１０３】
ここで、制御部１０４は、散水処理の開始後、所定時間経過後にバルブ１０８を開放することにより排水を開始して所定量の排水を行う（Ｓ１０４）。上記所定時間は、例えば、散水処理を開始してから、散水した水が最初に注水部１１１によって貯水部１０１に注水されるまでの時間に設定される。また、上記所定量は、散水処理の開始後、ある程度ソーラーパネル１００の温度が下がるまでに注水部１１１から貯水部１０１に流れ込む水量に設定される。なお、制御部１０４は、所定量の排水後は、バルブ１０８を閉鎖することにより排水を停止する。
【０１０４】
そして、制御部１０４は、さらに所定時間経過後、補水処理（給水処理）を開始する（Ｓ１０５）。制御部１０４は、具体的には、バルブ１０９を開放して補水部１０２から貯水部１０１への補水を行う。ここでの所定時間は、例えば、散水処理の開始後、散水処理によりある程度水量が減ると予想されるまでの時間に設定される。
【０１０５】
補水処理は、貯水部１０１が満水になるまで行われ（Ｓ１０６でＮｏ）、貯水部１０１が満水の場合は（Ｓ１０６でＹｅｓ）、制御部１０４は、バルブ１０９を閉鎖してステップＳ１０１の処理に戻る。
【０１０６】
一方、制御部１０４は、太陽電池冷却システム１０の状態がステップＳ１０２において散水条件に合致しないと判断した場合（Ｓ１０２でＮｏ）、まず、貯水部１０１内の水温が上昇し過ぎであるか否かを判断する（Ｓ１０７）。すなわち、制御部１０４は、貯水部１０１内の水温が貯水部１０１内の水温がソーラーパネルの温度よりも所定の閾値以上高いか否かを判断する。
【０１０７】
貯水部１０１内の水温が上昇し過ぎでないと判断される場合（Ｓ１０７でＮｏ）、制御部１０４は、ステップＳ１０２の処理に戻る。
【０１０８】
貯水部１０１内の水温が上昇し過ぎであると判断される場合（Ｓ１０７でＹｅｓ）、制御部１０４は、所定量の排水を行った後（Ｓ１０８）、満水になるまで補水を行う（Ｓ１０９、Ｓ１１０）。これにより、貯水部１０１内の水温を低下させることができる。貯水部１０１が満水になった場合は、制御部１０４は、ステップＳ１０１の処理に戻る。
【０１０９】
次に、散水準備期間に行われる散水準備処理について説明する。
【０１１０】
まず、制御部１０４は、待機期間内であるか否かを判断する（Ｓ１１１）。待機期間内であると判断される場合は（Ｓ１１１でＹｅｓ）、制御部１０４は、ステップＳ１０１の処理に戻る。
【０１１１】
待機期間でないと判断される場合は（Ｓ１１１でＮｏ）、制御部１０４は、ミネラル分溶融処理を行う（Ｓ１１２）。ここで、ミネラル分溶融処理は、陰極１０３ｎに析出したミネラル分を貯水部１０１内の水に溶出させ、陰極１０３ｎのクリーニングを行う処理である。
【０１１２】
具体的には、制御部１０４は、ミネラル分溶融処理として、陽極１０３ｐに陰極１０３ｎよりも低い直流電圧を印加する第二制御を行う。これにより、電極の交換やクリーニングなど、太陽電池冷却システム１０のメンテナンスの頻度が低減される。なお、ミネラル分溶融処理は、現在時刻が排水処理時刻になるまで行われる。
【０１１３】
続いて、制御部１０４は、現在時刻が排水時刻であるか否かを判断する（Ｓ１１３）。排水時刻でないと判断される場合は（Ｓ１１３でＮｏ）、後述のステップＳ１１６の処理が行われる。
【０１１４】
排水時刻であると判断される場合（Ｓ１１３でＹｅｓ）、制御部１０４は、排水処理を行う（Ｓ１１４）。すなわち、制御部１０４は、第二制御を行った後、バルブ１０８を制御して排水部１０７に貯水部１０１内の水を排水させる。
【０１１５】
制御部１０４は、具体的には、バルブ１０８を開放して排水部１０７から貯水部１０１内の水の排水を行う。排水処理は、排水が完了するまで行われる（Ｓ１１５）。
【０１１６】
以上ステップＳ１１２〜ステップＳ１１５までの処理により、陰極１０３ｎがクリーニングされるとともに、ミネラル分を含む水が排水される。
【０１１７】
次に、制御部１０４は、現在時刻が補水時刻であるか否かを判断する（Ｓ１１６）。
【０１１８】
ここで、現在時刻が補水時刻でない場合（Ｓ１１６でＮｏ）、制御部１０４は、次のステップＳ１１７の補水を行わず、ステップＳ１０１の処理に戻る。
【０１１９】
補水時刻であると判断される場合（Ｓ１１６でＹｅｓ）、制御部１０４は、補水処理を行う（Ｓ１１７）。制御部１０４は、具体的には、バルブ１０９を開放して補水部１０２から貯水部１０１内に水道水を補水する。補水処理は、貯水部１０１が満水になるまで行われる（Ｓ１１８）。
【０１２０】
そして、制御部１０４は、ミネラル分析出処理を行う（Ｓ１１９）。ここで、ミネラル分析出処理は、貯水部１０１内の水のミネラル分を陰極１０３ｎに析出させ、貯水部１０１内のミネラル分を低減する処理である。
【０１２１】
具体的には、制御部１０４は、ミネラル分析出処理として、陽極１０３ｐに陰極１０３ｎよりも高い直流電圧を印加する第一制御を行う。その後、制御部１０４は、ステップＳ１０１の処理を行う。
【０１２２】
このように、制御部１０４は、補水部１０２が所定量の水道水（実施の形態１では、満水）を貯水部に補水した後に、第一制御を行う。補水部１０２が補水する水道水にはミネラル分が多く含まれるため、所定量の補水後に電気分解することにより、効率的にミネラル分を析出できる。
【０１２３】
以上、ステップＳ１１６〜ステップＳ１１９の処理により、貯水部１０１内に水道水が貯められるとともに、貯められた水道水のミネラル分が低減される。その後、上述の散水制御によりソーラーパネル１００の冷却が行われる。すなわち、太陽電池冷却システム１０によれば、ソーラーパネル１００の表面にミネラル分が堆積することを抑制することができる。
【０１２４】
なお、上述のように、太陽電池冷却システム１０では、１日に１回、貯水部１０１内の水がほぼ全て排水される。すなわち、制御部１０４は、バルブ１０８を制御することによって、所定の期間に少なくとも１回は排水部１０７に貯水部１０１内の水を全て排水させる。
【０１２５】
これにより、貯水部１０１内に藻や微生物が発生することを抑制することができる。
【０１２６】
また、制御部１０４は、排水部１０７に貯水部１０１内の水を全て排水させた直後の所定の期間内は、バルブ１０８を制御して補水部１０２の補水を停止させてもよい。
【０１２７】
これにより、貯水部１０１内を乾燥させることができ、貯水部１０１内に藻や微生物が発生することをさらに抑制することができる。
【０１２８】
なお、「水を全て排水させる」とは、実質的にほぼ全ての水を排水させることを意味し、必ずしも、完全に全ての水を排水させることを意味するわけではない。
【０１２９】
以上、実施の形態１に係る太陽電池冷却システム１０について説明した。
【０１３０】
太陽電池冷却システム１０は、ソーラーパネル１００の表面にミネラル分が堆積することを抑制しつつ、ソーラーパネルを冷却することができる。
【０１３１】
なお、実施の形態１では、補水部１０２は、補水口１０２ａが貯水部１０１の内側に位置するように補水部１０２が貯水部１０１の上方（鉛直方向上側）に設けられた接続口に挿入されるが、補水部１０２の配置はこのような配置に限定されない。また、１組の電極（陽極１０３ｐおよび陰極１０３ｎ）の配置についても上記のような配置に限定されない。
【０１３２】
図６は、補水部１０２の配置および１組の電極の配置の別の例を示す図である。
【０１３３】
補水部１０２は、図６の（ａ）に示されるように補水口１０２ａが貯水部１０１の内側に位置するように補水部１０２が貯水部１０１の側方に設けられた接続口に挿入されてもよい。
【０１３４】
また、補水部１０２は、図６の（ｂ）に示されるように補水口１０２ａが貯水部１０１の内側に位置するように補水部１０２が貯水部１０１の底面に設けられた接続口に挿入されてもよい。
【０１３５】
また、図６の（ｂ）では、ポンプ１０５は、置き台１１５ａの上に置かれているため、補水口１０２ａは、貯水部１０１内であって、ポンプ１０５よりも貯水部１０１の底面の近くに位置している。
【０１３６】
これにより、補水部１０２が貯水部１０１に補水する水が電気分解されずにポンプ１０５によって汲み上げられる可能性を低減することができる。
【０１３７】
また、図６の（ｃ）に示されるように、１組の電極は、図３の（ｃ）で説明したような平板状の１組の電極（陽極１２３ｐおよび陰極１２３ｎ）であり、当該１組の電極の主面が、貯水部１０１の底面に対向するように配置されてもよい。
【０１３８】
また、図６の（ｃ）では、ポンプ１０５は、置き台１１５ｂの上に置かれているため、陽極１２３ｐおよび陰極１２３ｎは、ポンプ１０５よりも貯水部１０１の底面に近い位置に設けられる。
【０１３９】
ここで、上述のように補水部１０２が貯水部１０１に補水する水道水は、ミネラル分を多く含む。また、補水部１０２が貯水部１０１に補水する水道水は、注水部１１１から貯水部１０１に注水される水よりも温度が低いため、貯水部１０１の下方（底面側）に留まりやすい。
【０１４０】
したがって、陽極１２３ｐおよび陰極１２３ｎが、ポンプ１０５よりも貯水部１０１の底面に近い位置に設けられることによって、電気分解により効率的にミネラル分を析出することができる。
【０１４１】
（実施の形態２）
実施の形態２では、貯水部１０１内にイオン交換膜を設けることによって、さらにメンテナンス頻度の低減を図った太陽電池冷却システムについて説明する。
【０１４２】
図７は、実施の形態２に係る太陽電池冷却システム２０の構成を示す図である。なお、図７において、貯水部１０１、補水部１０２、散水部１０６、排水部１０７、注水部１１１、および出水部１１７のそれぞれは、断面図として示されている。
【０１４３】
太陽電池冷却システム２０は、貯水部と、イオン交換膜１２０と、補水部と、陰極１１３ｎと、陽極１１３ｐと、制御部１０４と、ポンプ１１５と、バルブ１１８ａ（第一の切替部）と、バルブ１１８ｂ（第二の切替部）と、散水部１０６とを備える。また、太陽電池冷却システム２０は、出水部１１７と、水温計１１２と、水位計１１４と備える。なお、図７では図示されないが、太陽電池冷却システム２０は、太陽電池冷却システム１０と同様に、排水部１０７と、排水用のバルブ１０８とを備える。
【０１４４】
貯水部１０１には、ソーラーパネル１００に散水するための水が貯められる。
【０１４５】
イオン交換膜１２０は、イオン交換樹脂によって形成され、ミネラル分などのイオンを通過させるイオン濾過膜である。イオン交換膜１２０は、貯水部１０１内を第一領域と第二領域とに分ける。ここで、第一領域は、イオン交換膜１２０によって分けられた貯水部１０１内の２つの領域うち、陰極１１３ｎが設けられる領域である。一方、第二領域は、イオン交換膜１２０によって分けられた貯水部１０１内の２つの領域うち、陽極１１３ｐが設けられる領域である。
【０１４６】
補水部１０２は、補水口１０２ａを有し、補水口１０２ａから第一領域に水道水を補水する。
【０１４７】
陽極１１３ｐおよび陰極１１３ｎは、図３を用いて説明した棒状の電極である。
【０１４８】
制御部１０４は、陽極１１３ｐおよび陰極１１３ｎに電圧を印加することによって貯水部１０１内の水を電気分解する第一制御を行う。
【０１４９】
出水部１１７は、管状であり、貯水部１０１内の水をポンプ１１５に出水する。
【０１５０】
ポンプ１１５は、貯水部１０１の外側に設けられ、出水部１１７から出水される貯水部１０１内の水を汲み上げる。
【０１５１】
バルブ１１８ａは、制御部１０４の制御に基づいて開閉する電磁弁である。バルブ１１８ａは、第一領域内の水を出水口１１７ａから出水部１１７に出水し、ポンプ１１５に供給するか否かを切り替える。
【０１５２】
バルブ１１８ｂは、制御部１０４の制御に基づいて開閉する電磁弁である。第二領域内の水を出水口１１７ｂから出水部１１７に供給するか否かを切り替える。
【０１５３】
散水部１０６は、ポンプ１１５によって汲み上げられた水をソーラーパネル１００に散水する。
【０１５４】
注水部１１１は、散水部１０６によってソーラーパネル１００に散水された水であって、ソーラーパネル１００上を流れた水を第一領域に注水する。
【０１５５】
以上説明したような構成の太陽電池冷却システム２０は、制御部１０４が貯水部１０１内の水を電気分解する。この結果、陰極１１３ｎが設けられる第一領域においては、水酸化物イオンが多くなり、第一領域内の水は、ｐＨ値の高いアルカリ性の水となる。一方、陽極１１３ｐが設けられる第二領域においては、水素イオンが多くなり、第二領域内の水は、ｐＨ値の低い酸性の水となる。
【０１５６】
また、貯水部１０１内の水のミネラル分は、実施の形態１と同様に電気分解により低減される。
【０１５７】
ここで、ソーラーパネル１００への散水時においては、制御部１０４は、バルブ１１８ｂを閉鎖したままバルブ１１８ａを開放し、アルカリ性の水をソーラーパネル１００に散水する。散水された水は、再び注水部１１１によって第一領域に注水される。
【０１５８】
これにより、ソーラーパネル１００上の水垢等の汚れを効果的に除去し、かつ再付着をも防止できる。したがって、ソーラーパネル１００のメンテナンスの頻度を低減することができる。
【０１５９】
ここで、散水準備処理において、太陽電池冷却システム２０の制御部１０４は、バルブ１１８ａを閉鎖したままバルブ１１８ｂを開放し、第二領域内の酸性の水をソーラーパネル１００に散水する。具体的には、制御部１０４は、図８のフローチャートに示されるように、ステップＳ１１２の処理の前に、第二領域内の酸性の水の散水処理を行う（図８のＳ２０１）。
【０１６０】
これにより、ソーラーパネル１００上に堆積したミネラル分を酸性の水によって溶解することができ、ソーラーパネル１００の表面にミネラル分が堆積することをさらに抑制することができる。さらに、ソーラーパネル１００上に発生する雑菌等を効果的に殺菌することができる。したがって、ソーラーパネル１００のメンテナンスの頻度を低減することができる。
【０１６１】
（変形例）
なお、本発明を上記実施の形態に基づいて説明してきたが、本発明は、上記の実施の形態に限定されない。
【０１６２】
例えば、上記各実施の形態において、制御部１０４は、専用のハードウェアで構成されるか、制御部１０４に適したソフトウェアプログラムを実行することによって実現されてもよい。制御部１０４は、ＣＰＵまたはプロセッサなどのプログラム実行部が、ハードディスクまたは半導体メモリなどの記録媒体に記録されたソフトウェアプログラムを読み出して実行することによって実現されてもよい。
【０１６３】
また、本発明は、制御部１０４が実行する太陽電池冷却システムの制御方法として実現されてもよい。
【０１６４】
以上、一つまたは複数の態様に係る太陽電池冷却システムについて、実施の形態に基づいて説明したが、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【産業上の利用可能性】
【０１６５】
本発明は、メガソーラなどの太陽光発電における、太陽電池冷却システムとして有用である。
【符号の説明】
【０１６６】
１０、２０  太陽電池冷却システム
１００  ソーラーパネル（太陽電池）
１０１  貯水部
１０２  補水部
１０２ａ  補水口
１０３ｐ、１１３ｐ、１２３ｐ  陽極
１０３ｎ、１１３ｎ、１２３ｎ  陰極
１０４  制御部
１０５、１１５  ポンプ
１０６  散水部
１０７  排水部
１０７ａ  排水口
１０８、１０９、１１８ａ、１１８ｂ  バルブ
１１０ａ、１１０ｂ  隔壁
１１１  注水部
１１２  水温計
１１４  水位計
１１５ａ、１１５ｂ  置き台
１１６  パネル温度計
１１７  出水部
１１７ａ、１１７ｂ  出水口
１２０  イオン交換膜
【図１】
2015032633.tif 000003
【図２】
2015032633.tif 000004
【図３】
2015032633.tif 000005
【図４】
2015032633.tif 000006
【図５】
2015032633.tif 000007
【図６】
2015032633.tif 000008
【図７】
2015032633.tif 000009
【図８】
2015032633.tif 000010